(57)【要約】      （修正有）【課題】２のレールを連結ユニットを介して強固に接続することができる配電装置を提供する。【解決手段】連結ユニット４は、壁に取付けるベース４１と、該ベース４１に覆うカバー４２とから中空状ケース体を形成し、該ケース体のレール２、２と連結する両端にそれぞれレール２、２を連結する挿入口４０、４０をそなえている。この例では、挿入口４０、４０として、ベース４１の連結端を切欠いて形成される。連結ユニット４の挿入口４０側に、レール２の係止孔２７に引っ掛かけられるフック４３が設けられ、フック４３は係止孔２７に引っ掛かけられレール２と連結ユニット４とを強固に連結して定位できる。この例では、フック４３は、ケース体の外部に向いてベース４１からカバー４２へ斜めに斜面４３ａが形成されている。【選択図】図４
0003133744.tif 000002
【実用新案登録請求の範囲】
【請求項１】
電源コンセントに電気的に接続されるものであって、
前記電源コンセントに電気的に接続されるよう、複数のレール溝を平行形成されている複数のレールと、
前記レールを介して前記電源コンセントと電気的に接続されると共に、前記レールのレール溝に滑り移動可能に設けられているソケットと、
両端にそれぞれレールを連結する挿入口を形成し、前記複数のレールにおける２レール間を接続する連結ユニットとをそなえ、
前記レール及び前記連結ユニットの各々の連結端に前記レールと前記連結ユニットとを連結して定位できる第１の係止部と第２の係止部とを形成していることを特徴とする配電装置。
【請求項２】
前記第１の係止部として係止孔が形成され、前記第２の係止部として前記係止孔に引っ掛かけられるフックが形成されていることを特徴とする請求項１に記載の配電装置。
【請求項３】
前記連結ユニットは、ベースと該ベース上を覆い該ベースと共にスペースを画成するカバーとからケース状に形成され、
前記フックは、前記ケースの外部に向いて前記ベースから前記カバーへ斜めに形成された斜面をそなえていることを特徴とする配電装置。
【請求項４】
前記挿入口として前記ベースを切り欠いて形成されていることを特徴とする請求項３に記載の配電装置。
【請求項５】
前記複数のレール溝における第１のレール溝と第２のレール溝とは少なくとも前記挿入口側の溝幅が異なり、
前記カバーの挿入口側に前記第１のレール溝と前記第２のレール溝における溝幅が大のレール溝に挿入できると共に溝幅が小のレール溝に挿入できない横幅を有する突起が形成されていることを特徴とする請求項３に記載の配電装置。
【請求項６】
前記連結ユニットは、前記挿入口として、それぞれの開口が長手沿いの方向且つ互いに逆向きである２の挿入口をそなえていることを特徴とする請求項１乃至５のいずれかの１項に記載の配電装置。
【請求項７】
前記連結ユニットは、それぞれ１の挿入口をそなえる２の分割体により連結され、前記２の分割体の連結側に一方の挿入口が他方の挿入口に対して前記第１の方向と同一平面上且つ直交する方向へ揺動できる枢転ユニットが設けられていることを特徴とする請求項６項に記載の配電装置。
【請求項８】
前記連結ユニットは、それぞれ１の挿入口をそなえる２の分割体により連結され、前記２の分割体の連結側に一方の挿入口が他方の挿入口に対して前記第１の方向と違う平面上且つ直交する方向に揺動できる枢軸ユニットが設けられていることを特徴とする請求項６項に記載の配電装置。
【請求項９】
前記連結ユニットは、前記挿入口として、それぞれの開口が長手沿いの第１の方向かつ互いに逆向きである２の挿入口及び前記第１の方向と同一平面上且つ直交する方向かつ互いに逆向きである２の挿入口をそなえていることを特徴とする請求項１乃至５のいずれかの１項に記載の配電装置。
【請求項１０】
前記連結ユニットは、前記挿入口として、それぞれの開口が長手沿いの第１の方向に向く１の挿入口及び前記第１の方向と違う平面上且つ直交する方向をする１の挿入口をそなえていることを特徴とする請求項１乃至５のいずれかの１項に記載の配電装置。
【請求項１１】
前記連結ユニットは、前記挿入口として、それぞれの開口が長手沿いの第１の方向に向く複数の挿入口が同一側に設けられていることを特徴とする請求項１乃至５のいずれかの１項に記載の配電装置。
【請求項１２】
前記連結ユニットは、前記挿入口として、それぞれの開口が長手沿いの第１の方向をする１の挿入口及び前記第１の方向と同一平面上且つ直交する方向に向く１の挿入口をそなえていることを特徴とする請求項１乃至５のいずれかの１項に記載の配電装置。
【請求項１３】
前記連結ユニットは、前記挿入口として、それぞれの開口が長手沿いの第１の方向に向くかつ互いに逆向きである２の挿入口と、前記第１の方向と同一平面上且つ直交する第２の方向の１の挿入口と、前記第１の方向と前記第２の方向と直交する第３の方向をする１の挿入口をそなえていることを特徴とする請求項１乃至５のいずれかの１項に記載の配電装置。
【請求項１４】
前記連結ユニットは、前記挿入口として、それぞれの開口が長手沿いの第１の方向かつ互いに逆向きである２の挿入口と、前記第１の方向と違う平面上且つ直交する方向をする１の挿入口をそなえていることを特徴とする請求項１乃至５のいずれかの１項に記載の配電装置。
【請求項１５】
前記連結ユニットは、前記挿入口として、それぞれの開口が長手沿いの第１の方向かつ互いに逆向きである２の挿入口と、前記第１の方向と同一平面上且つ直交する第２の方向をする１の挿入口と、前記第１の方向と前記第２の方向と直交する第３の方向をする１の挿入口をそなえていることを特徴とする請求項１乃至５のいずれかの１項に記載の配電装置。
【請求項１６】
前記連結ユニットは、前記挿入口として、それぞれの開口が長手沿いの第１の方向をする１の挿入口と、前記第１の方向と違う平面上且つ直交する方向に向く１の挿入口をそなえていることを特徴とする請求項１乃至５のいずれかの１項に記載の配電装置。
【請求項１７】
前記連結ユニットは、前記挿入口として、それぞれの開口が長手沿いの第１の方向をする１の挿入口と、前記第１の方向と同一平面上且つ直交する第２の方向をする１の挿入口と、前記第１の方向と前記第２の方向と直交する第３の方向をする１の挿入口をそなえていることを特徴とする請求項１乃至５のいずれかの１項に記載の配電装置。
【考案の詳細な説明】
【技術分野】
【０００１】
本考案は、住宅や事務所などの建物の壁面に配置される電気機器用配電装置に関する。
【背景技術】
【０００２】
従来、電源コンセントは、住宅や事務所などの建物の壁面例えば床面に近い所に予め配設されるのが一般的であるが、テレビやＯＡ器具などの電気器具の配置箇所や電気コードの長さの制限により電気器具を勝手に所期の位置に配置することができない欠点がある。
【０００３】
このような問題を解決するため、図１９、２０に示すように、壁面に横方向、直立の縦方向に沿って引かれた取付レール９２、９２、・・・に滑動可能に設けたコンセント９５、９５、・・・を、屋内配線された電源コンセント１０、１０、・・・に継ぎ手段９３を介して電気的に連結している配電装置９が提案されている。（例えば、米国第RE.36,030号）
取付レール９２は、図２０に示すように、レール溝上にそれぞれ中性線（コールドライン）と電源線（ホットライン）とアース線（接地線）とする複数リード線９２１、９２２、９２３が配列されている。また、交叉箇所の２のレール９２、９２の間には、連結ユニット９４により電気的に連結されている。
【０００４】
連結ユニット９４は、壁面に取付けられるベース９４１と、該ベース９４１上を覆って該ベース９４１と共にリード線９２１、９２２、９２３のそれぞれに電気的に接続される複数の導線を内蔵するスペースを画成するカバー９４２とをそなえてなる。
【特許文献１】米国特許第Re.36,030号
【考案の開示】
【考案が解決しようとする課題】
【０００５】
この配電装置９によって、複数のレール９２、９２、・・・を連結ユニット９４を介してコンセント１０と電気的に接続され、取付レール９２上にソケット９５をスライド移動させることにより、コードや配置箇所の制限にされず電気器具の配置自由度を与えることができるが、下記のようになおも改善の余地がある。
【０００６】
図２０に示されるように、レール９２と連結ユニット９４とは、リード線９２１、９２２、９２３を連結ユニット９４の挿入口９４０に挿入して導線９４３、９４４、９４５の端子９４３ａ、９４４ａ、９４５ａと接触しながら電気的に接続されることができるが、レール９２を連結ユニット９４に挿入するだけではその連結力は弱くてレール９２は連結ユニット９４から脱落しやすい。
【課題を解決するための手段】
【０００７】
本考案は、上記問題点に鑑みてなされたものであり、２のレールを連結手段を介して強固に接続することができる配電装置を提供することを目的とする。
【０００８】
上記目的を達成すべく本考案は、電源コンセントに電気的に接続される配電装置であって、電源コンセントに電気的に接続されるよう、複数のレール溝を平行形成されている複数のレールと、レールを介して電源コンセントと電気的に接続されると共に、レールのレール溝に滑り移動可能に設けられているソケットと、両端にそれぞれレールを連結する挿入口を形成し、複数のレールにおける２レール間を接続する連結ユニットとをそなえ、レール及び連結ユニットの各々の連結端にレールと連結ユニットとを連結して定位できる第１の係止部と第２の係止部とを形成していることを特徴とする配電装置を提供する。
【０００９】
前記配電装置では、第１の係止部として係止孔が形成され、第２の係止部として係止孔に引っ掛かけられるフックが形成されることが好ましい。
【００１０】
前記配電装置ではまた、連結ユニットは、ベースと該ベース上を覆うカバーとにより中空状ケースに形成され、フックは、ケースの外部向きにベースからカバーへ斜めに形成された斜面をそなえるようにすることが好ましい。
【００１１】
前記配電装置では、挿入口がベースを切り欠いて形成されることが好ましい。
【００１２】
前記配電装置では、複数レール溝における第１のレール溝と第２のレール溝とは少なくとも挿入口側の溝幅が異なり、カバーの挿入口側に第１のレール溝と第２のレール溝における溝幅が大のレール溝に挿入できると共に溝幅が小のレール溝に挿入できない横幅を有する突起が形成されることが好ましい。
【００１３】
また、前記配電装置では、連結ユニットは、一例において挿入口として、それぞれの開口が長手沿いの第１の方向かつ互いに逆向きである２の挿入口をそなえるようにしてもよい。この例では、連結ユニットはそれぞれ１の挿入口をそなえる２の分割体により連結され、２の分割体の連結側に一方の挿入口が他方の挿入口に対して第１の方向と同一平面上且つ直交する方向へ揺動でき、または、第１の方向と違う平面且つ直交する方向に揺動できるように枢転ユニットが設けられるようにしてもよい。
【００１４】
また、配電装置では、連結ユニットにおいては、挿入口として、それぞれの開口が長手沿いの第１の方向かつ逆向きの２挿入口及び第１の方向と同一平面上且つ直交する第２の方向かつ互いに逆向きである２挿入口をそなえるようにしてもよい。
【００１５】
また、前記連結ユニットでは、挿入口として、それぞれの開口が長手沿いの第１の方向の１挿入口及び第１の方向と違う平面上且つ直交する方向へ向く１の挿入口をそなえるようにしてもよい。
【００１６】
また、前記連結ユニットでは、挿入口として、それぞれの開口が長手沿いの第１の方向かつ同一側に設けられた複数の挿入口をそなえるようにしてもよい。
【００１７】
前記連結ユニットではまた、挿入口として、それぞれの開口が長手沿いの第１の方向の１の挿入口及び第１の方向と同一平面上且つ直交する第２の方向へ向く１の挿入口をそなえるようにしてもよい。
【００１８】
前記連結ユニットではまた、前記挿入口として、それぞれの開口が長手沿いの第１の方向かつ互いに逆向きである２挿入口と、第１の方向と同一平面上且つ直交する第２の方向をした１の挿入口と、第１の方向と第２の方向と直交する第３の方向をした１の挿入口をそなえることをしてもよい。
【００１９】
前記連結ユニットではまた、挿入口として、それぞれの開口が長手沿いの第１の方向かつ互いに逆向きである２挿入口と、第１の方向と違う平面上且つ直交する方向をした１の挿入口をそなえることもできる。
【００２０】
また、前記連結ユニットは、挿入口として、それぞれの開口が長手沿いの第１の方向かつ互いに逆向きである２挿入口と、第１の方向と同一平面上且つ直交する第２の方向の１の挿入口と、第１の方向と前記第２の方向と直交する第３の方向をした１の挿入口をそなえるようにしてもよい。
【００２１】
また、前記連結ユニットは、挿入口として、それぞれの開口が長手沿いの第１の方向である１の挿入口と、第１の方向と違う平面且つ直交する方向をした１の挿入口をそなえるようにしてもよい。
【００２２】
また、前記連結ユニットは、挿入口として、それぞれの開口が長手沿いの第１の方向をした１の挿入口と、第１の方向と同一平面上且つ直交する第２の方向をした１の挿入口と、第１の方向と第２の方向と直交する第３の方向をした１の挿入口をそなえるようにしてもよい。
【考案の効果】
【００２３】
本考案の配電装置は、レール及び連結ユニットの各々の連結端にレールと連結ユニットとを連結して定位できる係止部例えば係止孔とフックとを形成することにより、連結ユニットのフックによってレールの係止孔に引っ掛かけられ２レールの間を容易に脱落することなく強固に連結することができる。このように、配電安全性を高めることができる。
【考案を実施するための最良の形態】
【００２４】
以下、本考案にかかる実施例の配電装置について、添付図面を用いて説明する。
【００２５】
図１は、本考案の一実施例を示すもので、例えば壁(図示せず)に取付けられた配電装置１を示す平面図である。図１において、１は配電装置であり、長手レール２を継ぎ手段６を介して電源コンセント１０に電気的に接続しており、複数の長手レールにおける２レール２、２間を連結ユニット４、４、・・・を介して連結している。レール２上に移動ソケット３、３、・・・がレール２に滑り移動可能に設けられている。
【００２６】
図２は、レール２と移動ソケット３と連結ユニット４の構成を示す斜視図である。図３は、移動ソケット３をレール２上に設けている様子を示す側面縦断面図である。図４は、連結ユニット４によってレール２、２間を連結している様子を示す正面縦断面図である。図５は図４の底面を示す図である。
【００２７】
レール２は、長手に延伸しており、ウェブ２ａの底面２ｂが壁に取付けられ、ウェブ２ａの両側及び中央は側壁２ｃ、２ｃ、仕切り２ｄが底面２ｂの反対側から上に突出て延伸してほぼレール溝２１、２２、２３をそなえるコの字形に形成されている。この例ではレール溝２１とレール溝２３とは少なくとも長手両端の溝幅が異なるように形成され、また、レール溝２２の溝幅がレール溝２１、２２よりも狭いである。なお、この例では、レール溝２１の溝幅Ｗ１はレール溝２３の溝幅Ｗ２より大であるように形成される。ウェブ２ａは、側壁２ｃ、２ｃはさらにフランジ２ｅ、２ｅがレール溝２１、２３の溝面にほぼ平行に内向きに突出ている。レール溝２１、２２、２３内に電源コンセント１０内の中性線と電源線とアース線とそれぞれ電気的に接続されるリード線２４、２５、２６がレール溝２１、２２、２３の外へ少し突出されるように装着されている。レール２の長手両端のそれぞれ例えば溝面に定位部とする係止孔２７、２７、・・・が設けられている。
【００２８】
ソケット３、３、・・・は、レール２上に滑り移動可能に設けられ、レール２と介して電源コンセント１０に電気的に接続されている。該ソケット３は、レール２に滑り移動するソケット座３１と、該ソケット座３１に覆ってプラグ(図示せず)を挿入するための挿通穴３２１、３２２、３２３が形成されている蓋板３２とから中空状胴部３０をしている。該胴部３０からリードピン３３１、３３２、３３３が引き出されている。リードピン３３１、３３２、３３３は対応するレール溝２１、２２、２３に挿入してレール２内のリード線２４、２５、２６に電気的に接続するようになる。
【００２９】
連結ユニット４は、壁に取付けるベース４１と、該ベース４１に覆うカバー４２とから中空状ケース体を形成し、該ケース体のレール２、２と連結する両端にそれぞれレール２、２を連結する挿入口４０、４０をそなえている。この例では、挿入口４０、４０として、ベース４１の連結端を切欠いて形成される。なお、図示されないが、中空状ケース体の挿入口４０側にレール２のリード線２４、２５、２６の突出段を挿入する挿入孔をそなえる後述の接続部材（例えば図７の符号４５）が設けられている。なお、後述するが、ケース体内にレール２のリード線２４、２５、２６のそれぞれに対応して複数の導線４６、４７、４８が敷設されている。カバー４１の外面の挿入口側に導線の種類を表示する文字Ｎ(中性線)、Ｇ(アース線)、Ｌ(電源線)が付けられる。
【００３０】
連結ユニット４の挿入口４０側に、レール２の係止孔２７に引っ掛かけられるフック４３が設けられ、フック４３は係止孔２７に引っ掛かけられレール２と連結ユニット４とを強固に連結して定位できる。この例では、フック４３は、ケース体の外部に向いてベース４１からカバー４２へ斜めに斜面４３ａが形成されている。
【００３１】
この例では、挿入口４０側のレール溝２１、２３における溝幅Ｗ１が大のレール溝即ちレール溝２１に挿入できると共に溝幅Ｗ２が小のレール溝２３に挿入できない横幅Ｗ３を有する突起４４が形成されている。レール溝２１に挿入できるがレール溝２３に挿入できないようにすることにより、レール２、２を配線正しく連結することができ、配線安全性を高めることができる。
【００３２】
このように、レール２及び連結ユニット４のそれぞれの連結端に定位係止部として係止孔２７とフック４３とが設けられ、フック４３は斜面４３ａをガイド面としてレール２の溝面を滑り移動して係止２７に挿入して引っ掛かることによりレール２、２、・・・と連結ユニット４を介して容易に脱離することなく連結することができる。このようにレール２、２間を連結ユニット４によって強固に連結することができ、容易に脱落することはない。また、突起４４をレール溝２３に挿入できないがレール溝２１に挿入できるようにすることにより、だれが使っても間違えないように複数のレールと連結ユニットとの連結作業を正しく行うことができる。
【００３３】
本考案の連結ユニット４のケース体は、好ましくは電気絶縁性を有する材料例えばプラスチックよりつくられる。
【００３４】
この例においては、連結ユニット４は長手に延伸して形成するケース体に形成されるよう、挿入口４０としてそれぞれの開口が長手沿いのＸ方向かつ互いに逆向きの２の挿入口４０、４０をそなえているが、連結するレールの数によってその形状及び挿入口の数に限らない。
【００３５】
図６は、本考案の他の実施例の連結ユニット４Ａと４Ｂが用いられている配電装置１を示す斜視図である。図７、８は、連結ユニット４Ａ、４Ｂの分解斜視図である。前記実施例による連結ユニット４と同一の構成要素には、同一の符号を付して説明を省略または簡潔にする。本例の連結ユニット４Ａは、前記実施例の連結ユニットと違って、ケース体は同一平面上の十字形に形成され、挿入口４０としてそれぞれの開口が、Ｘ方向且つ互いに逆向きである２挿入口４０、４０と、Ｘ方向と同一平面上且つ直交するＹ方向に向いてかつ互いに逆向きである２挿入口４０、４０をそなえている。ケース体内に十字形導線４６、４７、４８が敷設されている。導線４６、４７、４８はそれぞれの端子が接続部材４５、４５、・・・を介してレール２のリード線２４、２５、２６と電気的に接続されている。また、複数の導線４６、４７、４８は正しくレール２のリード線２４、２５、２６に電気的に接続されるように、複数のブラケット台４１２、４１２、４１２、４１２、４１３、４１３、４１３、４１３がベース４１内の面４１１から立上がり突設され、対応する導線４８、４６をブリッジ状に架空支持している。
【００３６】
図８において４５は挿入孔４５０、４５０、４５０をそなえている接続部材を示す。図８に示されるように、ケース体と導線４６、４７、４８はＬ字形横断面をしている。挿入口４０として、それぞれの開口がＸ方向の１の挿入口４０と、Ｘ方向と違う平面上且つ直交するＹ方向をする１の挿入口４０をそなえている。
【００３７】
図９は、本考案の他の実施例の連結ユニット４Ｃと４Ｄが用いられている配電装置１を示す斜視図である。図１０、１１は連結ユニット４Ｃ、４Ｄの分解斜視図である。
【００３８】
本例の連結ユニット４Ｃは、図１０に示すように、ケース体がＵ字形に形成され、導線４３と導線４５とも略Ｕ字状にベース４１の面４１１から立上がり突出たブラケット台４１２、４１２及び４１３、４１３により架設されており、挿入口４０として、Ｘ方向且つ同一側に設ける複数例えば２の挿入口４０、４０をそなえている。
【００３９】
本例の連結ユニット４Ｄは、図１１に示すように、ベース４１とカバー４２とは枢動手段７によりＸ方向とＹ方向と同一平面上に揺動されることができる。
【００４０】
ベース４１の一方のベース４１ａとして回りにフレームがついている方形板でカバー４２のカバー４２ａとしてベース４１ａに覆われた方形板の一端が円形をし、他方のベース４１ｂとして方形板の一端が円形をなし、カバー４２ｂとして回りにフレームがついている方形板をし、ベース４１ｂとカバー４２ａのそれぞれの円形端を重ね合わせてケース体全体がほぼＬ字形に形成されている。ベース４１ｂとカバー４２ａとの間にＸ方向且つＸ方向と直交するＹ方向に揺動できる枢動手段７が挟まれている。
【００４１】
枢動手段７は、回動板７３がベース４１ｂに定位された固定板７２に回動可能に保持されている。複数の導線ユニット７４、７４、７４がケース体内に敷設されている。１の導線ユニット７４は、回動板７３と固定板７２に装着される導電リング７４１と、挿入口４０、４０にそれぞれ設けられるコンタクト端子７４２、７４３と、コンタクト端子と導電リング７４１との間に電気的に接続される導線７４４と、回動板７３下方に導電リング７４１に電気的に接続される導電片７４５と、導電片７４５に電気的に接続されるコンタクト端子７４６と、コンタクト端子７４３と７４６との間に電気的に接続される導線７４７とをそなえている。このようにして、導線７４４と導線７４７との間が電気的に接続されながらカバー４２ａをベース４１ｂに対して回動させることができる。他の導線ユニット７４、７４の構成も同様であり、説明を省略する。突起４４が前記実施例と同様にベース４１ａに設けられている。
【００４２】
本例の連結ユニット４Ｄにより、前記実施例と同様の定位効果をそなえると共に、Ｘ方向及びＹ方向に同一平面上に揺動可能にすることができるので、配置自由度を有する。
【００４３】
図１２は、本考案の他の実施例の連結ユニット４Ｅと４Ｆが用いられた配電装置を示す斜視図である。図１３、１４は連結ユニット４Ｅ、４Ｆの分解斜視図である。
【００４４】
本例の連結ユニット４Ｅは、図１３に示すように、ケース体はそれぞれ１の挿入口４０、４０をそなえる２の分割体４ａ、４ｂからなり、分割体４ａ、４ｂは枢軸ユニット８０により一方の挿入口４０が他方の挿入口４０に対してＸ方向と違う平面上且つ直交する方向に揺動できるよう設けられている。分割体４ａ内に導線８２ａがコンタクト端子８１ａと８３ａとの間に電気的に接続された導線ユニット８ａが設けられ、分割体４ｂ内に導線８２ｂがコンタクト端子８１ｂと８３ｂとの間に電気的に接続された導線ユニット８ｂが設けられ、導線ユニット８ａ、８ｂが枢軸ユニット８０を介して電気的に接続されている。
【００４５】
図１４に示す連結ユニット４Ｆは、Ｘ方向とＹ方向とを直交する一部がＺ方向に立上がりケース体全体がほぼＬ字形をする。複数の挿入口として、それぞれの開口がＸ方向に向く且つ逆向きである２の挿入口４０、４０と、Ｙ方向をする１の挿入口４０と、Ｚ方向をする１の挿入口４０とをそなえている。
【００４６】
図１５は、本考案の他の実施例の連結ユニット４Ｇと４Ｈと４Ｉを用いられた配電装置を示す斜視図である。図１６は連結ユニット４Ｇの分解斜視図である。図１７は連結ユニット４Ｈの分解斜視図である。図１８は連結ユニット４Ｉの分解斜視図である。
【００４７】
図１６に示す連結ユニット４Ｇは、Ｘ方向に向くかつ逆向きである２の挿入口４０、４０とＺ方向をする挿入口４０とをそなえている。
【００４８】
図１７に示す連結ユニット４Ｈは、Ｘ方向に向く１の挿入口４０とＺ方向をする１の挿入口４０とをそなえ、導線４７、４８はベース４１の面４１１上に設けられたブラケット４１２、４１３によりブリッジ状に高く架空保持され交差している。
【００４９】
図１８に示す連結ユニット４Ｉは、Ｘ方向とＹ方向とＺ方向にそれぞれ向く挿入口４０、４０、４０をそなえ、ベース４１の面４１１上に立ち上がってブラケット台４１２、４１３が設けられ、ブラケット台４１２、４１３により導線４６、４７を交差上に架空保持して定位される。
【００５０】
以上のように、上記いずれの実施例の連結ユニットによれば、カバー４２の挿入口４０側の内面に設けられたフック４３、４３がレール２に設けられた係止孔２７、２７に引っ掛かり、突起４４が所定のレール溝に嵌入されることにより、２のレール２、２の間を強固に接続することができ、さらに違う連結ユニットの組合せにより、配置自由度を高めることができる。
【産業上の利用可能性】
【００５１】
本考案の連結ユニットは、移動型配電装置におけるレールの電気的接続するための連結ユニットに有用である。
【図面の簡単な説明】
【００５２】
【図１】本考案の配電装置を示す平面図である。
【図２】レールと移動ソケットと連結ユニットの構成を示す斜視図である。
【図３】移動ソケットをレール上に載置する様子を示す側面縦断面図である。
【図４】レールと連結ユニットとの連結状態を示す正面縦断面図である。
【図５】図４の底面図である。
【図６】本考案の他の実施例の連結ユニットが用いられている配電装置を示す斜視図である。
【図７】図６の１の連結ユニットの分解斜視図である。
【図８】図６の他の連結ユニットの分解斜視図である。
【図９】本考案の他の実施例の連結ユニットが用いられている配電装置を示す斜視図である。
【図１０】図９の１の連結ユニットの分解斜視図である。
【図１１】図９の他の連結ユニットの分解斜視図である。
【図１２】本考案の他の実施例の連結ユニットが用いられている配電装置を示す斜視図である。
【図１３】図１２の１の連結ユニットの分解斜視図である。
【図１４】図１２の他の連結ユニットの分解斜視図である。
【図１５】本考案の他の実施例の連結ユニットが用いられた配電装置を示す斜視図である。
【図１６】図１５の１の連結ユニットの分解斜視図である。
【図１７】図１５の他の連結ユニットの分解斜視図である。
【図１８】図１５の他の連結ユニットの分解斜視図である。
【図１９】移動型配電装置の配置例を示す。
【図２０】図１９の配電装置に用いられた連結ユニットを概略示す底面図である。
【符号の説明】
【００５３】
１        配電装置１
１０      電源コンセント
６        継ぎ手段
２        レール
２０      レール台
２ａ      ウェブ
２ｂ      底面
２ｃ      側壁
２ｄ      仕切り
２ｅ      フランジ
２１、２２、２３      レール溝
２４、２５、２６      リード線
２７      係止孔
３        ソケット
３０      胴部
３１      ソケット座
３２      蓋板
３２１    挿通穴
３３１、３３２、３３３      リードピン
４、４Ａ〜４Ｉ              連結ユニット
４ａ、４ｂ                  分割体
４０      挿入口
４１、４１ａ、４１ｂ        ベース
４１１    敷設面(内底面)
４１２、４１３              ブラケット台
４２、４２ａ、４２ｂ        カバー
４３      フック
４３ａ    斜面
４４      突起
４５      接続部材
４５０    挿入孔
４６、４７、４８            導線
７        回動手段
７２      固定板
７３      回動板
７４      導線ユニット
７４１    導電リング
７４２、７４３        コンタクト端子
７４４、７４７        導線
７４５    導電片
７４６    コンタクト端子
８０      枢軸ユニット
８１ａ、８３ａ、８１ｂ、８３ｂ      コンタクト端子
８２ａ、８２ｂ        導線
８ａ、８ｂ            導線ユニット
Ｗ１、Ｗ２、Ｗ３      幅
【図１】
0003133744.tif 000003
【図２】
0003133744.tif 000004
【図３】
0003133744.tif 000005
【図４】
0003133744.tif 000006
【図５】
0003133744.tif 000007
【図６】
0003133744.tif 000008
【図７】
0003133744.tif 000009
【図８】
0003133744.tif 000010
【図９】
0003133744.tif 000011
【図１０】
0003133744.tif 000012
【図１１】
0003133744.tif 000013
【図１２】
0003133744.tif 000014
【図１３】
0003133744.tif 000015
【図１４】
0003133744.tif 000016
【図１５】
0003133744.tif 000017
【図１６】
0003133744.tif 000018
【図１７】
0003133744.tif 000019
【図１８】
0003133744.tif 000020
【図１９】
0003133744.tif 000021
【図２０】
0003133744.tif 000022
【手続補正書】
【提出日】平成19年5月10日(2007.5.10)
【手続補正１】
【補正対象書類名】実用新案登録請求の範囲
【補正対象項目名】請求項３
【補正方法】変更
【補正の内容】
【請求項３】
前記連結ユニットは、ベースと該ベース上を覆い該ベースと共にスペースを画成するカバーとからケース状に形成され、
前記フックは、前記ケースの外部に向いて前記ベースから前記カバーへ斜めに形成された斜面をそなえていることを特徴とする請求項２に記載の配電装置。